(57)【特許請求の範囲】
【請求項１】
本体と、
前記本体の下方に設置された本体化粧パネルと、
を備え、
前記本体化粧パネルは、互いに対向する２つの長辺側壁部と、互いに対向する２つの短辺側壁部と、底面部とから構成され、
前記本体化粧パネルは、前記本体化粧パネルに連結される補助化粧パネルのレール部が挿通される、互いに対向して配設された１対のガイド付きリブと、前記短辺側壁部に複数のノックアウト部とを有し、
前記ノックアウト部は、取り外されることで前記短辺側壁部に貫通孔部を形成する取り外し板と、前記取り外し板の周囲の前記短辺側壁部に形成された溝部とから構成される空気調和機の天井埋込型室内機。
【請求項２】
前記本体化粧パネルは、平面視で矩形状であり、前記１対のガイド付きリブを前記本体化粧パネルの長手方向に複数有している請求項１に記載の空気調和機の天井埋込型室内機。
【請求項３】
前記溝部は、互いに対向する前記短辺側壁部の内側面に形成されている請求項１又は２に記載の空気調和機の天井埋込型室内機。
【請求項４】
前記１対のガイド付きリブは、前記ノックアウト部に対応してそれぞれ設けられており、前記１対のガイド付きリブに対応する最も近い前記ノックアウト部に向かって、互いの距離が離れるように構成されている請求項１〜３のいずれか１項に記載の空気調和機の天井埋込型室内機。
【請求項５】
前記本体化粧パネルに連結される補助化粧パネルを更に備え、
前記補助化粧パネルは、前記補助化粧パネルから突出し、前記１対のガイド付きリブを構成するそれぞれのガイド付きリブの間と、前記貫通孔部とに挿通されるレール部を有する請求項１〜４のいずれか１項に記載の空気調和機の天井埋込型室内機。
【請求項６】
前記レール部は、前記レール部の軸方向に対する垂直断面において、天井壁部と、前記天井壁部の両端から立ち上がった側壁部とを有する請求項５に記載の空気調和機の天井埋込型室内機。
【請求項７】
前記天井壁部は、前記レール部の先端方向に弧状に突出した天井突出部を更に有する請求項６に記載の空気調和機の天井埋込型室内機。
【請求項８】
前記レール部の長さは、前記短辺側壁部と前記本体化粧パネルを前記本体に取り付ける取付け穴との距離Ｄを超える長さに形成されている請求項５〜７のいずれか１項に記載の空気調和機の天井埋込型室内機。
【請求項９】
前記１対のガイド付きリブは、前記長辺側壁部に固定される第１のガイド付きリブと、前記長辺側壁部と対向する内壁部に固定される第２のガイド付きリブとから構成される請求項１〜８のいずれか１項に記載の空気調和機の天井埋込型室内機。
【請求項１０】
前記１対のガイド付きリブは、弾性部材である請求項９に記載の空気調和機の天井埋込型室内機。
【請求項１１】
請求項１〜１０のいずれか１項に記載の空気調和機の天井埋込型室内機を有する空気調和機。
【発明の詳細な説明】
【技術分野】
【０００１】  本発明は、空気調和機の天井埋込型室内機及び空気調和機、特に空気調和機の天井埋込型室内機に用いられる化粧パネルに関するものである。
【背景技術】
【０００２】  従来より、天井に設けられた開口を介して天井室内に埋め込まれる空気調和機の天井埋込型室内機は、箱状の外郭板金で構成された本体を有する。天井埋込型室内機は、本体の下方開口に室内空間に露出した化粧パネル（以後、本体化粧パネルと記載する）が取り付けられた構成を有している（例えば、特許文献１参照）。【０００３】  天井埋込型室内機は、サイズの大きい室内機からサイズの小さい室内機に入れ替えを行う場合に、室内機の大きさと天井に設けられた開口の大きさとが異なり、室内機と天井との間に余剰開口が生じてしまう場合がある。この室内機と天井との間の余剰開口を隠すために、室内機の本体化粧パネルに補助化粧パネルが取り付けられる天井埋込型室内機が開示されている（例えば、特許文献２参照）。特許文献２の天井埋込型室内機は、最小サイズの本体化粧パネルに別サイズの補助化粧パネルを繋げることにより、サイズ違いの化粧パネルを作成出来る構造となっている。
【先行技術文献】
【特許文献】
【０００４】
【特許文献１】実開昭６３−０７８８２１号公報
【特許文献２】特開２０００−４６３６５号公報
【発明の概要】
【発明が解決しようとする課題】
【０００５】  天井埋込型室内機に用いられる化粧パネルは、室内空間に露出している。その為、本体化粧パネルに補助化粧パネルを組み付ける際に、本体化粧パネルと補助化粧パネルとの間の段差をなくすなど、意匠性を損なう要因を排除する必要がある。特許文献２の天井埋込型室内機は、係止金具が天井裏に止められることで補助化粧パネルが本体化粧パネルに固定されている。よって、意匠性を損なわないようにするための本体化粧パネルと補助化粧パネルとの組み立て精度が確保しづらい場合がある。【０００６】  本発明は、上記のような課題を解決するためになされたもので、本体化粧パネルに補助化粧パネルを組み付ける際に、組み立て精度を満足する空気調和機の天井埋込型室内機及び空気調和機を提供するものである。
【課題を解決するための手段】
【０００７】
本発明に係る空気調和機の天井埋込型室内機は、本体と、本体の下方に設置された本体化粧パネルと、を備え、本体化粧パネルは、互いに対向する２つの長辺側壁部と、互いに対向する２つの短辺側壁部と、底面部とから構成され、本体化粧パネルは、本体化粧パネルに連結される補助化粧パネルのレール部が挿通される、互いに対向して配設された１対のガイド付きリブと、短辺側壁部に複数のノックアウト部とを有し、ノックアウト部は、取り外されることで短辺側壁部に貫通孔部を形成する取り外し板と、取り外し板の周囲の短辺側壁部に形成された溝部とから構成されるものである。
【発明の効果】
【０００８】  本発明に係る空気調和機の天井埋込型室内機は、本体化粧パネルに連結される補助化粧パネルのレール部が挿通される互いに対向して配設された１対のガイド付きリブを有する本体化粧パネルを備えるものである。その結果、空気調和機の天井埋込型室内機及び空気調和機は、本体化粧パネルと補助化粧パネルとの連結部であるレール部の幅方向の移動が規制されることで、本体化粧パネルと補助化粧パネルとの組み立て精度がよい製品を提供することができる。
【図面の簡単な説明】
【０００９】
【図１】本発明の実施の形態１に係る空気調和機の構成例を表す図である。
【図２】本発明の実施の形態１に係る空気調和機の天井埋込型室内機を示す斜視図である。
【図３】本発明の実施の形態１に係る空気調和機の天井埋込型室内機に用いられる化粧パネルを本体側から見た分解斜視図である。
【図４】図３で示す本体化粧パネルにおけるＡ部の拡大図である。
【図５】図４のノックアウト部を打ち抜いた拡大図である。
【図６】図４で示す１対のガイド付きリブを説明する部分拡大図である。
【図７】図３のＢ−Ｂ線断面図である。
【図８】図３で示すレール部におけるＣ部の簡略化した部分拡大図である。
【図９】図８で示すレール部の先端部の変形例である。
【図１０】本体化粧パネルと補助化粧パネルとの組立後の連結状態を示す要部断面図である。
【図１１】本体化粧パネルの変形例を示す拡大図である。
【図１２】本体化粧パネルの他の変形例を示す拡大図である。
【図１３】本体化粧パネルの他の変形例を示す拡大図である。
【図１４】本発明の実施の形態２に係る空気調和機の天井埋込型室内機に用いられる本体化粧パネルを示す拡大図である。
【発明を実施するための形態】
【００１０】  以下、本発明の実施の形態に係る空気調和機の天井埋込型室内機及び空気調和機について図面等を参照しながら説明する。以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、図面では各構成部材の大きさの関係が実際のものとは異なる場合がある。
【００１１】  実施の形態１．  図１は、本発明の実施の形態１に係る空気調和機の構成例を表す図である。ここで、図１は、空気調和機１を冷凍サイクル装置の例として示している。図１の空気調和機１は、室外機２００と、天井埋込型室内機１００とを有し、室外機２００と天井埋込型室内機１００とはガス冷媒配管３００及び液冷媒配管４００により配管接続されている。
【００１２】  室外機２００は、圧縮機２１０、流路切替装置２２０、室外熱交換器２３０、及び膨張弁２４０を有している。圧縮機２１０は、吸入した冷媒を圧縮して吐出する。ここで、特に限定するものではないが、圧縮機２１０は、例えばインバータ回路等により制御されて運転周波数を任意に変化させることにより、圧縮機２１０の容量（単位時間あたりの冷媒を送り出す量）を変化させることができるようにしてもよい。流路切替装置２２０は、例えば四方弁であり、空気調和機１の冷房運転と暖房運転との切り換えによって、冷媒の流路の方向を切り換える装置である。室外熱交換器２３０は、冷媒と空気（室外の空気）との熱交換を行う。室外熱交換器２３０は、暖房運転時においては蒸発器として機能し、冷媒を蒸発させ、気化させる。また、室外熱交換器２３０は、冷房運転時においては凝縮器として機能し、冷媒を凝縮して液化させる。膨張弁２４０は、絞り装置（流量制御手段）であり、膨張弁２４０を流れる冷媒の流量を調節することにより、膨張弁として機能し、流入してきた冷媒を減圧するものである。例えば、膨張弁２４０が、電子式膨張弁等で構成された場合は、制御装置（図示せず）等の指示に基づいて開度調整が行われる。
【００１３】  天井埋込型室内機１００は、室内熱交換器１１０を有する。室内熱交換器１１０は、空調対象となる空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させ、気化させる。
【００１４】  図２は、本発明の実施の形態１に係る空気調和機の天井埋込型室内機を示す斜視図である。図２に示すＸ軸は、天井埋込型室内機１００の長手方向を示し、Ｙ軸は天井埋込型室内機１００の短手方向を示し、Ｚ軸は天井埋込型室内機１００の高さ方向を示すものである。なお、Ｚ軸において、Ｚ１は上方向あるいは天井側を示し、Ｚ２は下方向あるいは室内側を示す。
【００１５】  天井埋込型室内機１００は、部屋の天井裏に設置される天井埋込型の空気調和機である。天井埋込型室内機１００は、室内熱交換器１１０（図示せず）を備える本体１０と、本体１０の下方に設置された本体化粧パネル１１とを備える。また、天井埋込型室内機１００は、本体化粧パネル１１に連結される補助化粧パネル２０を更に備える。図２では、天井埋込型室内機１００の長手方向（Ｘ軸方向）において、本体化粧パネル１１の両端に補助化粧パネル２０が組み付けられている。
【００１６】  図３は、本発明の実施の形態１に係る空気調和機の天井埋込型室内機に用いられる化粧パネルを本体側から見た分解斜視図である。図３において、白抜き矢印は、補助化粧パネル２０に設けられたレール部２１の本体化粧パネル１１への挿入方向を表す。なお、図３では化粧パネルの構成を明らかにするために、本体１０の図示を省略している。
【００１７】  本体化粧パネル１１は、図３に示すように、互いに対向する長辺側壁部１１ａと、互いに対向する短辺側壁部１１ｂと、本体１０側からの平面視で、矩形状に形成された底面部１１ｃと、から構成される。本体化粧パネル１１は、平面視で矩形状である。なお、本体化粧パネル１１の長手方向（Ｘ軸方向）、短手方向（Ｙ軸方向）及び高さ方向（Ｚ軸方向）は、上述した図２に示す天井埋込型室内機１００の長手方向（Ｘ軸方向）、短手方向（Ｙ軸方向）及び高さ方向（Ｚ軸方向）と一致する。
【００１８】  本体化粧パネル１１の中央付近には、本体１０へ室内空気を吸入するための吸入口１３が設けられている。また、本体化粧パネル１１には、本体化粧パネル１１の短手方向の一方の側（Ｙ１側）において、本体化粧パネル１１の長手方向（Ｘ軸方向）に沿って、本体１０から空気を吹き出すための吹出口１２が設けられている。なお、吹出口１２が設けられる位置は、本体化粧パネル１１の短手方向の一方の側（Ｙ１側）に限定されるものではなく、本体化粧パネル１１の短手方向の他方の側（Ｙ２側）において、吹出口１２が設けられていてもよい。また、吹出口１２が設けられる位置は、本体化粧パネル１１の短手方向のいずれか一方の側に限定するものではなく、本体化粧パネル１１の短手方向の両方の側（Ｙ１及びＹ２側）に設けられていてもよい。図２に示すように、吹出口１２の位置には、本体１０から吹出される空気の風向きを変化させるための風向フラップ１２ａが配置されている。なお、図３では化粧パネルの構成を明らかにするために、風向フラップ１２ａの図示を省略している。
【００１９】  図４は、図３で示す本体化粧パネルにおけるＡ部の拡大図である。図５は、図４のノックアウト部を打ち抜いた拡大図である。本体化粧パネル１１は、図４に示すように、短辺側壁部１１ｂに複数のノックアウト部１４を有している。また、本体化粧パネル１１は、本体化粧パネル１１に連結される補助化粧パネル２０のレール部２１が挿通される互いに対向して配設された１対のガイド付きリブ１５を有している。さらに、本体化粧パネル１１の底面部１１ｃには、レール部２１をネジで固定するためのボス部１９が設けられている。
【００２０】  ノックアウト部１４は、本体化粧パネル１１の壁部にノックアウト加工が施された部分であり、例えば、たたくことにより、あるいは、切り取ることにより、現場で簡単に穴をあけることができる部分である。ノックアウト部１４は、短辺側壁部１１ｂの両端側（Ｙ１及びＹ２側）にそれぞれ設けられている。また、ノックアウト部１４は、互いに対向する短辺側壁部１１ｂのそれぞれに設けられており、それぞれの短辺側壁部１１ｂに設けられたノックアウト部１４は互いに対向する位置に設けられている。なお、短辺側壁部１１ｂに設けられているノックアウト部１４はいずれも同じ構造であるため、ノックアウト部１４の形成位置によって区別することなく、ノックアウト部１４の構造について図４及び図５を用いて説明する。
【００２１】  ノックアウト部１４は、取り外されることで短辺側壁部１１ｂに図５に示すような貫通孔部１８を形成する取り外し板１４ｂと、取り外し板１４ｂの周囲の短辺側壁部１１ｂに形成された溝部１４ｃとから構成される。すなわち、短辺側壁部１１ｂから取り外される取り外し板１４ｂは、取り外される前には短辺側壁部１１ｂの壁の一部を構成している。溝部１４ｃは、互いに対向する短辺側壁部１１ｂの内側面１１ｂ１に形成されている。溝部１４ｃは、短辺側壁部１１ｂの壁が凹状に形成された部分であり、短辺側壁部１１ｂの壁の厚さが薄い部分となる。ノックアウト部１４は、溝部１４ｃに沿って取り外し板１４ｂが短辺側壁部１１ｂから取り外されることで、短辺側壁部１１ｂに本体化粧パネル１１の内側と外側とを貫通する幅Ｗ１の貫通孔部１８を形成する。貫通孔部１８の幅Ｗ１は、後述するレール部２１の幅Ｗ４より大きくなるように形成される。ただし、補助化粧パネル２０を本体化粧パネル１１に精度良く組み付ける為に、貫通孔部１８の幅Ｗ１は、後述するレール部の幅Ｗ４とできるだけ等しくなるように形成されることが望ましい。
【００２２】  図６は、図４で示す１対のガイド付きリブを説明する部分拡大図である。１対のガイド付きリブ１５は、補助化粧パネル２０のレール部２１が、レール部２１の幅方向（Ｙ軸方向）に移動することを規制するものである。１対のガイド付きリブ１５は、ノックアウト部１４に対応してそれぞれ設けられている。１対のガイド付きリブ１５を構成するガイド付きリブ１５ａ及びガイド付きリブ１５ｂは、本体化粧パネル１１の長辺側壁部１１ａと、長辺側壁部１１ａと対向する内壁部１１ｄとの間の短手方向（Ｙ軸方向）に配置されている。ガイド付きリブ１５ａは、長辺側壁部１１ａと、底面部１１ｃとに固定されている。また、ガイド付きリブ１５ｂは、内壁部１１ｄと、底面部１１ｃとに固定されている。本体化粧パネル１１と補助化粧パネル２０とが連結されているときは、１対のガイド付きリブ１５は、ガイド付きリブ１５ａとガイド付きリブ１５ｂとの間に挿通されたレール部２１を挟み込む構造となっている。本体化粧パネル１１は、１対のガイド付きリブ１５を本体化粧パネル１１の長手方向（Ｘ軸方向）に複数有している。
【００２３】  ガイド付きリブ１５ａ及びガイド付きリブ１５ｂは、板状の形成物である。ガイド付きリブ１５ａは、基部１５ａ１と、中間部１５ａ２と、規定部１５ａ３とを有する。ガイド付きリブ１５ａは、本体化粧パネル１１の長手方向（Ｘ軸方向）において、最も近い位置にある短辺側壁部１１ｂから反対側の短辺側壁部１１ｂに向かって基部１５ａ１、中間部１５ａ２、規定部１５ａ３の順番となるように形成されている。ガイド付きリブ１５ｂは、基部１５ｂ１と、中間部１５ｂ２と、規定部１５ｂ３とを有する。ガイド付きリブ１５ａは、本体化粧パネル１１の長手方向（Ｘ軸方向）において、最も近い位置にある短辺側壁部１１ｂから反対側の短辺側壁部１１ｂに向かって基部１５ｂ１、中間部１５ｂ２、規定部１５ｂ３の順番となるように形成されている。ガイド付きリブ１５ａ及びガイド付きリブ１５ｂは、板状に形成されていることで、使用する材料を抑えることができ、材料コストを削減することができる。
【００２４】  基部１５ａ１及び基部１５ｂ１は、平面視で本体化粧パネル１１の短手方向（Ｙ軸方向）に設けられている。基部１５ａ１は、長辺側壁部１１ａに固定されていると共に、底面部１１ｃに固定されている。基部１５ｂ１は、内壁部１１ｄに固定されていると共に、底面部１１ｃに固定されている。
【００２５】  規定部１５ａ３は、ガイド付きリブ１５ａの先端部であり、底面部１１ｃに固定され、長辺側壁部１１ａと対向するように設けられている。規定部１５ｂ３は、ガイド付きリブ１５ｂの先端部であり、底面部１１ｃに固定され、内壁部１１ｄと対向するように設けられている。規定部１５ａ３の規定面１５ａ４と、規定部１５ｂ３の規定面１５ｂ４とは、互いに対向するように構成されている。規定面１５ａ４と規定面１５ｂ４との間の幅Ｗ２が、後述するレール部２１の幅Ｗ４より大きくなるように、１対のガイド付きリブ１５は配設されている。ただし、補助化粧パネル２０を本体化粧パネル１１に精度良く組み付ける為に、規定面１５ａ４と規定面１５ｂ４との間の幅Ｗ２は、レール部の幅Ｗ４とできるだけ等しくなるように構成されることが望ましい。
【００２６】  中間部１５ａ２は、基部１５ａ１と規定部１５ａ３とを接続し、底面部１１ｃに固定されている。また、中間部１５ａ２は、規定部１５ａ３に対し角度θ１をもって接続されている。中間部１５ｂ２は、基部１５ｂ１と規定部１５ｂ３とを接続し、底面部１１ｃに固定されている。また、中間部１５ｂ２は、規定部１５ｂ３に対し角度θ２をもって接続されている。角度θ１及び角度θ２は、０度より大きく９０度未満の角度である。よって、中間部１５ａ２及び中間部１５ｂ２は、平面視で短辺側壁部１１ｂに対して斜めに設けられている。そして、中間部１５ａ２と中間部１５ｂ２との間の最大幅Ｗ３は、最も近いノックアウト部１４側に位置している。中間部１５ａ２と中間部１５ｂ２との間の最大幅Ｗ３は、規定面１５ａ４と規定面１５ｂ４との間の幅Ｗ２よりも、大きくなるように構成されている。換言すれば、１対のガイド付きリブ１５は、１対のガイド付きリブ１５に対応する最も近いノックアウト部１４に向かって、互いの距離が離れるように構成されている。また、中間部１５ａ２と中間部１５ｂ２との間の最大幅Ｗ３は、ノックアウト部１４の貫通孔部１８の幅Ｗ１の幅よりも大きくなるように構成されている。
【００２７】  図４では、中間部１５ａ２は平板として記載しているが、中間部１５ａ２は、平面視で基部１５ａ１と規定部１５ａ３とを弧状に接続する構造であってもよい。同様に、中間部１５ｂ２は平板として記載しているが、中間部１５ｂ２は、平面視で基部１５ｂ１と規定部１５ｂ３とを弧状に接続する構造であってもよい。ガイド付きリブ１５ａ及びガイド付きリブ１５ｂがこのような構造でも、１対のガイド付きリブ１５は、１対のガイド付きリブ１５に対応する最も近いノックアウト部１４に向かって、互いの距離が離れるように構成されている。
【００２８】  ボス部１９は、図３で示すネジ２２によって補助化粧パネル２０のレール部２１が固定される部分である。ボス部１９は、図４に示すように、天井側に凸となるように高さＨ１の円筒形状に形成され、筒の内側にはネジ穴１９ａが形成されている。なお、ボス部１９は、円筒形状に形成される代わりに、角柱状に形成されてもよい。ネジ穴１９ａは、予め雌ネジが切ってあってもよいし、雄ネジの挿入によって雌ネジが切られてもよい。ボス部１９は、ノックアウト部１４と対向する位置に設けられており、本体化粧パネル１１の長手方向（Ｘ軸方向）に沿って複数設けられている。ボス部１９の形成数は任意であり、例えば、本体化粧パネル１１及び補助化粧パネル２０の大きさまたは重さを考慮してボス部１９の形成数が決められる。
【００２９】  図３に戻り、補助化粧パネル２０について説明する。補助化粧パネル２０は、本体化粧パネル１１に組み付けられて連結されることで、天井埋込型室内機１００に用いられる化粧パネルを拡大するものである。補助化粧パネル２０は、平面視で、矩形状に形成されている。補助化粧パネル２０は、長辺側壁部２０ａと、互いに対向する短辺側壁部２０ｂと、平面視で、矩形状に形成された底面部２０ｃと、を有する。補助化粧パネル２０は、図３に示すように、補助化粧パネル２０の長手方向（Ｘｓ軸方向）が、天井埋込型室内機１００の短手方向（Ｙ軸方向）となるように配置され、補助化粧パネル２０の短手方向（Ｙｓ軸方向）が、天井埋込型室内機１００の長手方向（Ｘ軸方向）となるように配置される。補助化粧パネル２０と本体化粧パネル１１との連結状態では、補助化粧パネル２０の短辺側壁部２０ｂと底面部２０ｃとで構成される側壁部２０ｄが、本体化粧パネル１１の短辺側壁部１１ｂと接する。補助化粧パネル２０と本体化粧パネル１１との連結状態では、図２に示すように、本体化粧パネル１１の長辺側壁部１１ａと、補助化粧パネル２０の短辺側壁部２０ｂとが面一状となるように構成される。また、補助化粧パネル２０と本体化粧パネル１１との連結状態では、図２に示すように、本体化粧パネル１１の底面部１１ｃと、補助化粧パネル２０の底面部２０ｃとが面一状となるように構成される。
【００３０】  補助化粧パネル２０は、図３に示すように、補助化粧パネル２０の長手方向（Ｘｓ軸方向）の両端に、互いに対向する２本のレール部２１を備えている。レール部２１は、本体化粧パネル１１と、補助化粧パネル２０とを連結するものである。また、ガイド付きリブ１５に対して、被案内部材として機能するものである。レール部２１は、基端部２１ａが、補助化粧パネル２０の長辺側壁部２０ａと、互いに対向する短辺側壁部２０ｂと、底面部２０ｃと、で囲まれた領域に固定されており、先端部２１ｂが、補助化粧パネル２０から突出するように構成されている。レール部２１は、補助化粧パネル２０から突出しており、補助化粧パネル２０と本体化粧パネル１１との連結状態では、１対のガイド付きリブ１５を構成するそれぞれのガイド付きリブ１５の間と、貫通孔部１８とに挿通される。
【００３１】  図７は、図３のＢ−Ｂ線断面図である。図３のＢ−Ｂ線断面は、レール部２１の軸方向に対する横断面である。レール部２１は、図７の断面図で示すように、レール部２１の軸方向に対する垂直断面において、天井壁部２１ｃと、天井壁部２１ｃの両端から立ち上がった側壁部２１ｄとを有する。補助化粧パネル２０と本体化粧パネル１１との連結状態では、レール部２１は、本体化粧パネル１１の底面部１１ｃから天井壁部２１ｃの下面を形成する天井面部２１ｃ１までの高さＨ２が、図４に示すボス部の高さＨ１よりも高くなるように構成されている。補助化粧パネル２０と本体化粧パネル１１との連結状態のとき、レール部２１の高さＨ２がボス部の高さＨ１よりも高くなるように構成されていることで、本体化粧パネル１１へのレール部２１の挿通を円滑に行うことができる。レール部２１は、レール部２１の幅Ｗ４が、ノックアウト部１４の貫通孔部１８の幅Ｗ１より小さくなるように形成されている。また、レール部２１の幅Ｗ４が、規定面１５ａ４と規定面１５ｂ４との間の幅Ｗ２より小さくなるように形成されている。ただし、補助化粧パネル２０を本体化粧パネル１１に精度良く組み付ける為に、レール部の幅Ｗ４は、ノックアウト部１４の貫通孔部１８の幅Ｗ１とできるだけ等しくなるように形成されることが望ましい。また、レール部の幅Ｗ４は、規定面１５ａ４と規定面１５ｂ４との間の幅Ｗ２とできるだけ等しくなるように形成されることが望ましい。
【００３２】  図８は、図３で示すレール部におけるＣ部の簡略化した部分拡大図である。図９は、図８で示すレール部の先端部の変形例である。レール部２１は、図８に示すように、天井壁部２１ｃと、互いに対向する側壁部２１ｄとで形成されており、レール部２１の先端部２１ｂは、平面視で角を有している。レール部２１の先端部２１ｂは、１対のガイド付きリブ１５の間に挿通させやすいように平面視で角を有している先端部２１ｂの形状を変形させてもよい。たとえば、図９は、レール部２１の先端部２１ｂの変形例であり、天井壁部２１ｃは、平面視でレール部２１の先端方向に弧状に突出した天井突出部２１ｃ２を有するものである。
【００３３】  レール部２１は、レール部２１の軸方向に沿って複数の開口部２１ｅを形成している。開口部２１ｅが形成されている位置は、補助化粧パネル２０と本体化粧パネル１１との連結状態において、ボス部１９のネジ穴１９ａが存在する位置と一致する位置に形成されている。なお、開口部２１ｅは、貫通孔であるが、非貫通孔として形成してもよく、非貫通孔である場合には、例えばネジの先端を当て回転させて押し付けることにより開口部２１ｅを貫通させる。
【００３４】  図１０は、本体化粧パネルと補助化粧パネルとの組立後の連結状態を示す要部断面図である。図１０において白抜き矢印は、本体化粧パネル１１へのレール部２１の挿入方向を表す。１対のガイド付きリブ１５は、レール部２１の挿入方向おいて、１組目のガイド付きリブ１５と２組目のガイド付きリブ１５との間の距離Ｅが、短辺側壁部２０ｂから１組目のガイド付きリブ１５までの間の距離Ｆより長くなるように本体化粧パネル１１に配設されている。また、補助化粧パネル２０と本体化粧パネル１１との連結状態において、レール部２１の長さは、短辺側壁部２０ｂと本体化粧パネル１１を本体１０に取り付ける取付け穴１７との間の距離Ｄを超える長さに形成されている。
【００３５】  次に、本体化粧パネル１１と補助化粧パネル２０との組み付けについて説明する。本体化粧パネル１１と補助化粧パネル２０とを組み付けて連結させる際に、まず使用者は、本体化粧パネル１１の短辺側壁部１１ｂに設けられたノックアウト部１４において、ハンマー等の器具を使用して短辺側壁部１１ｂから溝部１４ｃに沿って取り外し板１４ｂを取り外す。
【００３６】  次に、使用者は、補助化粧パネル２０のレール部２１をノックアウト部１４に形成された貫通孔部１８に挿入する。この際、レール部２１は、図７に示すレール部２１の高さＨ２が、図４に示すボス部１９の高さＨ１よりも高くなるように形成されているため、レール部２１は、ボス部１９に干渉されることなく挿入することができる。
【００３７】  さらに、使用者は、本体化粧パネル１１に補助化粧パネル２０のレール部２１を、１対のガイド付きリブ１５の、それぞれのガイド付きリブ１５の間に挿通させる。１対のガイド付きリブ１５は、本体化粧パネル１１の長手方向（Ｘ軸方向）において、１対のガイド付きリブ１５に対応する最も近いノックアウト部１４に向かって、互いの距離が離れるように構成されている。そのため、使用者は、レール部２１を、貫通孔部１８から本体化粧パネル１１内に挿入しやすくなっている。
【００３８】  その後、使用者は、ボス部１９に形成されたネジ穴１９ａと、レール部２１に形成された開口部２１ｅとの位置を合わせ、本体化粧パネル１１と補助化粧パネル２０のレール部２１とをネジ２２にて共締めする。開口部２１ｅを介してネジ２２をネジ穴１９ａに固定することにより、レール部２１はボス部１９に固定され、補助化粧パネル２０は本体化粧パネル１１に連結される。なお、補助化粧パネル２０の取り外しは、組立と逆の手順で行われる。
【００３９】  以上のように、天井埋込型室内機１００及び空気調和機１は、本体化粧パネル１１に連結される補助化粧パネル２０のレール部２１が挿通される互いに対向して配設された１対のガイド付きリブ１５を有する。その結果、天井埋込型室内機１００及び空気調和機１は、本体化粧パネル１１と補助化粧パネル２０との連結部であるレール部２１の幅方向への移動が規制されることで、本体化粧パネル１１と補助化粧パネル２０との組み立て精度がよい製品を提供することが出来る。
【００４０】  また、天井埋込型室内機１００及び空気調和機１は、本体化粧パネル１１と補助化粧パネル２０との組み付け精度がよくなると、本体化粧パネル１１の長辺側壁部１１ａと、補助化粧パネル２０の短辺側壁部２０ｂとが段差を有さず面一状に構成される。さらに、天井埋込型室内機１００及び空気調和機１は、本体化粧パネルの底面部１１ｃと補助化粧パネル２０の底面部２０ｃとが段差を有さず面一状に構成される。そして、天井埋込型室内機１００及び空気調和機１は、本体化粧パネル１１と、補助化粧パネル２０とが面一状に構成されると、本体化粧パネル１１と、補助化粧パネル２０との意匠の一体性を確保することができる。
【００４１】  また、天井埋込型室内機１００及び空気調和機１は、１対のガイド付きリブ１５が、１対のガイド付きリブ１５に対応する最も近いノックアウト部１４に向かって、互いの距離が離れるように構成されている。そのため、使用者は、レール部２１を、貫通孔部１８から本体化粧パネル１１内に挿入しやすくなると共に、１対のガイド付きリブ１５によってレール部２１を正確な位置に誘導することができる。その結果、使用者にとって、本体化粧パネル１１と補助化粧パネル２０との組み付け作業の作業性がよい天井埋込型室内機１００及び空気調和機１を提供することができる。
【００４２】  また、本体化粧パネル１１は、平面視で矩形状であり、１対のガイド付きリブ１５を本体化粧パネル１１の長手方向（Ｘ軸方向）に複数有している。そのため、天井埋込型室内機１００及び空気調和機１は、レール部２１を挟込む箇所を増やすことで、１対のガイド付きリブ１５の成形精度による組付精度の悪化を防ぐことが出来る。また、天井埋込型室内機１００及び空気調和機１は、レール部２１を挟込む箇所を増やすことで、レール部２１の挿入時の角度のズレを矯正することが出来る。さらに、天井埋込型室内機１００及び空気調和機１は、１対のガイド付きリブ１５を本体化粧パネル１１の長手方向（Ｘ軸方向）に複数有していることで、本体化粧パネル１１の捩れや撓みを防止することができ、本体化粧パネル１１の剛性を高めることができる。
【００４３】  また、本体化粧パネル１１は、短辺側壁部１１ｂにノックアウト部１４を有している。天井埋込型室内機１００及び空気調和機１は、本体化粧パネル１１に補助化粧パネル２０を組み付ける場合にのみ本体化粧パネル１１に貫通孔部１８を形成してレール部２１を挿入することができる。そのため、天井埋込型室内機１００及び空気調和機１は、補助化粧パネル２０を組み付ける本体化粧パネル１１と、補助化粧パネル２０を組み付けない本体化粧パネル１１とを区別することなく、本体化粧パネル１１の共通化を図ることができる。
【００４４】  また、ノックアウト部１４は、取り外されることで短辺側壁部１１ｂに貫通孔部１８を形成する取り外し板１４ｂと、取り外し板１４ｂの周囲の短辺側壁部１１ｂに形成された溝部１４ｃとから構成されている。また、溝部１４ｃは、互いに対向する短辺側壁部１１ｂの内側面１１ｂ１に形成されている。そのため、使用者が室内から補助化粧パネル２０が連結されていない本体化粧パネル１１を見たとしても、溝部１４ｃを見る事ができないので、本体化粧パネル１１を単体で使用したときの外観上の意匠性を損なうことがない。
【００４５】  また、補助化粧パネル２０は、補助化粧パネル２０から突出し、１対のガイド付きリブ１５を構成するそれぞれのガイド付きリブ１５の間と、貫通孔部１８とに挿通されるレール部２１を有している。そのため、天井埋込型室内機１００及び空気調和機１は、本体化粧パネル１１と、補助化粧パネル２０とを連結することができる。また、天井埋込型室内機１００及び空気調和機１は、本体化粧パネル１１と補助化粧パネル２０との組み立て精度がよくなると共に、使用者にとって、本体化粧パネル１１と補助化粧パネル２０との組み付け作業の作業性がよくなる。
【００４６】  また、レール部２１は、レール部２１の軸方向に対する垂直断面において、天井壁部２１ｃと、天井壁部２１ｃの両端から立ち上がった側壁部２１ｄとを有している。そのため、天井埋込型室内機１００及び空気調和機１は、レール部２１の軸方向及び断面方向の強度を高め、また、捩れに対する強度を高めている。
【００４７】  また、天井壁部２１ｃは、平面視でレール部２１の先端方向に弧状に突出した天井突出部２１ｃ２を有している。そのため、天井埋込型室内機１００及び空気調和機１は、使用者がレール部２１を貫通孔部１８に挿入するときに、レール部２１の先端が、ガイド付きリブ１５ａ及びガイド付きリブ１５ｂの壁面に引っかかりにくくなる。その結果、使用者は、レール部２１を１対のガイド付きリブ１５の間に円滑に挿通させることができる。
【００４８】  またレール部２１の長さは、短辺側壁部１１ｂと本体化粧パネル１１を本体１０に取り付ける取付け穴１７との間の距離Ｄを超える長さに形成されている。そのため、天井埋込型室内機１００及び空気調和機１は、レール部２１の挿入方向おいて、２組目のガイド付きリブ１５を、距離Ｄを超える位置に配置することができ、距離Ｅを長くとることができる。そのため、天井埋込型室内機１００及び空気調和機１は、１対のガイド付きリブ１５に挿通されているレール部２１の短手方向（Ｙ軸方向）の傾きの幅を小さくすることができる。その結果、天井埋込型室内機１００及び空気調和機１は、補助化粧パネル２０と本体化粧パネル１１とのつなぎ目の段差を小さくすることができ、補助化粧パネル２０の本体化粧パネル１１への組付け精度を向上させることができる。
【００４９】  また、１対のガイド付きリブ１５は、レール部２１の挿入方向おいて、１組目のガイド付きリブ１５と２組目のガイド付きリブ１５との間の距離Ｅが、短辺側壁部２０ｂから１組目のガイド付きリブ１５までの間の距離Ｆより長くなるように本体化粧パネル１１に配設されている。そのため、天井埋込型室内機１００及び空気調和機１は、１対のガイド付きリブ１５に挿通されているレール部２１の短手方向（Ｙ軸方向）の傾きの幅を小さくすることができる。その結果、天井埋込型室内機１００及び空気調和機１は、補助化粧パネル２０と本体化粧パネル１１とのつなぎ目の段差を小さくすることができ、補助化粧パネル２０の本体化粧パネル１１への組付け精度を向上させることができる。また、レール部２１の挿入時の角度のズレを矯正することができる。
【００５０】  本発明の実施の形態１に係る空気調和機の天井埋込型室内機及び空気調和機について説明してきたが、本体化粧パネル１１の変形例について図１１〜図１３を用いて説明する。図１〜図１０の空気調和機と同一の構成を有する部位には同一の符号を付してその説明を省略する。また、本体化粧パネル１１の変形例は上述の効果を有するものである。
【００５１】  図１１は、本体化粧パネルの変形例を示す拡大図である。１対のガイド付きリブ２５は、ノックアウト部１４に対応してそれぞれ設けられている。上記で説明した１対のガイド付きリブ１５は、板状に形成されているが、１対のガイド付きリブ２５は、本体化粧パネル１１の長手方向（Ｘ軸方向）と高さ方向（Ｚ軸方向）とに厚みを有しており角柱状に形成されているものである。１対のガイド付きリブ２５は、本体化粧パネル１１の長手方向（Ｘ軸方向）に厚みを有することで、レール部２１の挿入方向に対して強度を有している。そのため、使用者がレール部２１を挿入する際に強く挿入しても、１対のガイド付きリブ２５は破損する恐れが少なく、レール部２１を適切な位置に導くことができる。また、１対のガイド付きリブ２５は、本体化粧パネル１１の長手方向（Ｘ軸方向）と高さ方向（Ｚ軸方向）とに厚みを有することで、さらに本体化粧パネル１１の捩れや撓みを防止することができ、本体化粧パネル１１の剛性を高めることができる。
【００５２】  図１２は、本体化粧パネルの他の変形例を示す拡大図である。図１〜図１０の空気調和機と同一の構成を有する部位には同一の符号を付してその説明を省略する。上記で説明した１対のガイド付きリブ１５は、板状に形成されているが、１対のガイド付きリブ３５は、中空の円柱に形成されているものである。１対のガイド付きリブ３５は、ノックアウト部１４に対応してそれぞれ設けられている。１対のガイド付きリブ３５を構成するガイド付きリブ３５ａ及びガイド付きリブ３５ｂは、本体化粧パネル１１の長辺側壁部１１ａと、長辺側壁部１１ａと対向する内壁部１１ｄとの間の短手方向（Ｙ軸方向）に配置されている。ガイド付きリブ３５ａ及びガイド付きリブ３５ｂは、周壁が曲面で形成されている。そのため、ガイド付きリブ３５ａ及びガイド付きリブ３５ｂの対向面は、１対のガイド付きリブ３５に対応する最も近いノックアウト部１４に向かって、互いの距離が離れるように構成されている。その結果、使用者は、レール部２１を１対のガイド付きリブ３５の間に円滑に挿通させることができる。また、１対のガイド付きリブ３５は、円柱であるため径方向の強度が強く、レール部２１の衝突に対するガイド付きリブ３５の強度を強化することができる。なお、図１２ではガイド付きリブ３５ａ及びガイド付きリブ３５ｂは中空の円柱として記載されているが、ガイド付きリブ３５ａ及びガイド付きリブ３５ｂは中実の円柱であってもよい。
【００５３】  図１３は、本体化粧パネルの他の変形例を示す拡大図である。図１〜図１０の空気調和機と同一の構成を有する部位には同一の符号を付してその説明を省略する。１対のガイド付きリブ４５は、ノックアウト部１４に対応してそれぞれ設けられている。上記で説明したガイド付きリブ１５ａの基部１５ａ１は、長辺側壁部１１ａに固定されていると共に、底面部１１ｃに固定されている。また、ガイド付きリブ１５ｂの基部１５ｂ１は、内壁部１１ｄに固定されていると共に、底面部１１ｃに固定されている。これに対し、ガイド付きリブ４５ａの基部４５ａ１は、長辺側壁部１１ａに固定されておらず、底面部１１ｃにのみ固定されているものである。また、ガイド付きリブ４５ｂの基部４５ｂ１は、内壁部１１ｄに固定されておらず、底面部１１ｃにのみ固定されているものである。すなわち、１対のガイド付きリブ４５は、底面部１１ｃに設けられているものである。１対のガイド付きリブ４５は、中間部４５ａ２及び中間部４５ｂ２を有することでレール部２１の挿入を容易にし、規定部４５ａ３及び規定部４５ｂ３を有することで、レール部２１が幅方向（Ｙ軸方向）に移動することを規制することができる。規定部４５ａ３の規定面４５ａ４と、規定部４５ｂ３の規定面４５ｂ４とは、互いに対向するように構成されている。規定面４５ａ４と規定面４５ｂ４との間の幅Ｗ２が、レール部２１の幅Ｗ４より大きくなるように、１対のガイド付きリブ４５は配設されている。
【００５４】  実施の形態２．  図１４は、本発明の実施の形態２に係る空気調和機の天井埋込型室内機に用いられる本体化粧パネルを示す拡大図である。図２〜図１３の空気調和機と同一の構成を有する部位には同一の符号を付してその説明を省略する。１対のガイド付きリブ５５は、ノックアウト部１４に対応してそれぞれ設けられている。上述した本発明の実施の形態１に係る空気調和機の１対のガイド付きリブ１５は、本体化粧パネル１１の長辺側壁部１１ａまたは内壁部１１ｄに固定されていると共に、底面部１１ｃに固定されているものである。これに対し、本発明の実施の形態２に係る空気調和機の１対のガイド付きリブ５５は、本体化粧パネル１１の長辺側壁部１１ａまたは内壁部１１ｄに固定されているものである。
【００５５】  １対のガイド付きリブ５５は、補助化粧パネル２０のレール部２１が、レール部２１の幅方向（Ｙ軸方向）に移動することを規制するものである。１対のガイド付きリブ５５は、樹脂性材料等の弾性部材であり圧力に対して変形することができる。１対のガイド付きリブ５５は、長辺側壁部１１ａに固定される第１のガイド付きリブ５５ａと、長辺側壁部１１ａと対向する内壁部１１ｄに固定される第２のガイド付きリブ５５ｂとから構成される。本体化粧パネル１１と補助化粧パネル２０とが連結されているときは、１対のガイド付きリブ５５は、第１のガイド付きリブ５５ａと第２のガイド付きリブ５５ｂとの間に挿通されたレール部２１を挟み込む構造となっている。また、本体化粧パネル１１は、１対のガイド付きリブ５５を本体化粧パネル１１の長手方向（Ｘ軸方向）に複数有している。
【００５６】  第１のガイド付きリブ５５ａ及び第２のガイド付きリブ５５ｂは、板状の形成物である。第１のガイド付きリブ５５ａは、基部５５ａ１と、中間部５５ａ２と、規定部５５ａ３とを有する。第１のガイド付きリブ５５ａは、本体化粧パネル１１の長手方向（Ｘ軸方向）において、最も近い位置にある短辺側壁部１１ｂから反対側の短辺側壁部１１ｂに向かって基部５５ａ１、中間部５５ａ２、規定部５５ａ３の順番となるように形成されている。第２のガイド付きリブ５５ｂは、基部５５ｂ１と、中間部５５ｂ２と、規定部５５ｂ３とを有する。第１のガイド付きリブ５５ａは、本体化粧パネル１１の長手方向（Ｘ軸方向）において、最も近い位置にある短辺側壁部１１ｂから反対側の短辺側壁部１１ｂに向かって基部５５ｂ１、中間部５５ｂ２、規定部５５ｂ３の順番となるように形成されている。第１のガイド付きリブ５５ａ及び第２のガイド付きリブ５５ｂは、板状に形成されていることで、使用する材料を抑えることができ、材料コストを削減することができる。
【００５７】  基部５５ａ１及び基部５５ｂ１は、平面視で本体化粧パネル１１の短手方向（Ｙ軸方向）に設けられている。基部５５ａ１は、長辺側壁部１１ａに固定されており、基部５５ｂ１は、内壁部１１ｄに固定されている。
【００５８】  規定部５５ａ３は、第１のガイド付きリブ５５ａの先端部であり、長辺側壁部１１ａと対向するように設けられている。規定部５５ｂ３は、第２のガイド付きリブ５５ｂの先端部であり、内壁部１１ｄと対向するように設けられている。規定部５５ａ３の規定面５５ａ４と、規定部５５ｂ３の規定面５５ｂ４とは、互いに対向するように構成されている。規定面５５ａ４と規定面５５ｂ４との間の幅Ｗ２が、レール部２１の幅Ｗ４と等しいか弱冠小さくなるように、１対のガイド付きリブ５５は配設されている。
【００５９】  中間部５５ａ２は、基部５５ａ１と規定部５５ａ３とを接続している部分であり、規定部５５ａ３に対し角度θ１をもって接続されている。中間部５５ｂ２は、基部５５ｂ１と規定部５５ｂ３とを接続している部分であり、規定部５５ｂ３に対し角度θ２をもって接続されている。角度θ１及び角度θ２は、０度より大きく９０度未満の角度である。よって、中間部５５ａ２及び中間部５５ｂ２は、平面視で短辺側壁部１１ｂに対して斜めに設けられている。そして、中間部５５ａ２と中間部５５ｂ２との間の幅は、中間部５５ａ２と中間部５５ｂ２との間の最大幅Ｗ３が、最も近いノックアウト部１４側に位置している。中間部５５ａ２と中間部５５ｂ２との間の最大幅Ｗ３は、規定面５５ａ４と規定面５５ｂ４との間の幅Ｗ２よりも、大きくなるように構成されている。換言すれば、１対のガイド付きリブ５５は、１対のガイド付きリブ５５に対応する最も近いノックアウト部１４に向かって、互いの距離が離れるように構成されている。また、中間部５５ａ２と中間部５５ｂ２との間の最大幅Ｗ３は、ノックアウト部１４の貫通孔部１８の幅Ｗ１の幅よりも大きくなるように構成されている。図１４では、中間部５５ａ２は平板として記載しているが、中間部５５ａ２は、平面視で基部５５ａ１と規定部５５ａ３とを弧状に接続する構造であってもよい。また、中間部５５ｂ２は平板として記載しているが、中間部５５ｂ２は、平面視で基部５５ｂ１と規定部５５ｂ３とを弧状に接続する構造であってもよい。
【００６０】  以上のように本発明の実施の形態２に係る空気調和機の１対のガイド付きリブ５５は、長辺側壁部１１ａに固定される第１のガイド付きリブ５５ａと、長辺側壁部１１ａと対向する内壁部１１ｄに固定される第２のガイド付きリブ５５ｂとから構成される。また、ガイド付きリブ５５は、樹脂性材料等の弾性部材であるため、レール部２１の挿入方向の圧力に対して変形することができる。そのため、１対のガイド付きリブ５５に対するレール部２１の挿入角度又は挿入位置がずれていたとしても、１対のガイド付きリブ５５は弾性力でレール部２１を受け止め、復元力でレール部２１を適切な位置に導くことができる。そして、復元力で適切な位置に配置されたレール部２１は、連結された本体化粧パネル１１においてレール部２１の幅方向（Ｙ軸方向）に移動することが規制される。その結果、天井埋込型室内機１００及び空気調和機１は、本体化粧パネル１１と補助化粧パネル２０との連結部であるレール部２１の幅方向への移動が規制されることで、本体化粧パネル１１と補助化粧パネル２０との組み立て精度がよい製品を提供することが出来る。
【００６１】  また、天井埋込型室内機１００及び空気調和機１は、１対のガイド付きリブ５５が、本体化粧パネル１１の長手方向（Ｘ軸方向）において、１対のガイド付きリブ５５に対応する最も近いノックアウト部１４に向かって、互いの距離が離れるように構成されている。そのため、使用者は、レール部２１を、貫通孔部１８から本体化粧パネル１１内に挿入しやすくなると共に、１対のガイド付きリブ５５によってレール部２１を正確な位置に誘導することができる。その結果、使用者にとって、本体化粧パネル１１と補助化粧パネル２０との組み付け作業の作業性がよい天井埋込型室内機１００及び空気調和機１を提供することができる。
【００６２】  なお、本発明の実施の形態は、上記実施の形態１及び２に限定されず、種々の変更を加えることができる。例えば、図２及び図３では、天井埋込型室内機１００は、天井埋込型室内機１００の長手方向（Ｘ軸方向）において、本体化粧パネル１１の両端に連結される補助化粧パネル２０を備えている。しかし、天井埋込型室内機１００は、天井埋込型室内機１００の長手方向（Ｘ軸方向）において、本体化粧パネル１１の一端にのみ連結される補助化粧パネル２０を備えていてもよい。また、天井埋込型室内機１００は、天井埋込型室内機１００の短手方向（Ｙ軸方向）において、本体化粧パネル１１に連結される補助化粧パネル２０を備えていてもよい。
【００６３】  また、それぞれの短辺側壁部１１ｂに設けられたノックアウト部１４は互いに対向する位置に設けられている構成について説明した。しかし、ノックアウト部１４は、互いに対向する短辺側壁部１１ｂにおいて、本体化粧パネル１１の短手方向（Ｙ軸方向）の形成位置が異なる構成でも良く、ノックアウト部１４は、互いに対向する位置に設けられていなくてもよい。
【符号の説明】
【００６４】  １  空気調和機、１０  本体、１１  本体化粧パネル、１１ａ  長辺側壁部、１１ｂ  短辺側壁部、１１ｂ１  内側面、１１ｃ  底面部、１１ｄ  内壁部、１２  吹出口、１２ａ  風向フラップ、１３  吸入口、１４  ノックアウト部、１４ｂ  取り外し板、１４ｃ  溝部、１５  ガイド付きリブ、１５ａ  ガイド付きリブ、１５ａ１  基部、１５ａ２  中間部、１５ａ３  規定部、１５ａ４  規定面、１５ｂ  ガイド付きリブ、１５ｂ１  基部、１５ｂ２  中間部、１５ｂ３  規定部、１５ｂ４  規定面、１７  取付け穴、１８  貫通孔部、１９  ボス部、１９ａ  ネジ穴、２０  補助化粧パネル、２０ａ  長辺側壁部、２０ｂ  短辺側壁部、２０ｃ  底面部、２０ｄ  側壁部、２１  レール部、２１ａ  基端部、２１ｂ  先端部、２１ｃ  天井壁部、２１ｃ１  天井面部、２１ｃ２  天井突出部、２１ｄ  側壁部、２１ｅ  開口部、２２  ネジ、２５  ガイド付きリブ、３５  ガイド付きリブ、３５ａ  ガイド付きリブ、３５ｂ  ガイド付きリブ、４５  ガイド付きリブ、４５ａ  ガイド付きリブ、４５ａ１  基部、４５ａ２  中間部、４５ａ３  規定部、４５ａ４  規定面、  ４５ｂ  ガイド付きリブ、４５ｂ１  基部、４５ｂ２  中間部、４５ｂ３  規定部、５５  ガイド付きリブ、５５ａ  第１のガイド付きリブ、５５ａ１  基部、５５ａ２  中間部、５５ａ３  規定部、５５ａ４  規定面、５５ｂ  第２のガイド付きリブ、５５ｂ１  基部、５５ｂ２  中間部、５５ｂ３  規定部、５５ｂ４  規定面、１００  天井埋込型室内機、１１０  室内熱交換器、２００  室外機、２１０  圧縮機、２２０  流路切替装置、２３０  室外熱交換器、２４０  膨張弁、３００  ガス冷媒配管、４００  液冷媒配管。
【図１】
0006671519.tif 000002
【図２】
0006671519.tif 000003
【図３】
0006671519.tif 000004
【図４】
0006671519.tif 000005
【図５】
0006671519.tif 000006
【図６】
0006671519.tif 000007
【図７】
0006671519.tif 000008
【図８】
0006671519.tif 000009
【図９】
0006671519.tif 000010
【図１０】
0006671519.tif 000011
【図１１】
0006671519.tif 000012
【図１２】
0006671519.tif 000013
【図１３】
0006671519.tif 000014
【図１４】
0006671519.tif 000015